(57)【要約】【課題】本発明は、片持ち支持のロープガードにおいて、複数本のロープとの間の綱車の軸方向に沿う間隔のバラツキを容易に調整できて信頼性が得られる巻上機を提供することにある。【課題を解決するための手段】  本発明は、複数のロープ溝を形成し固定部材１７に軸支された綱車９と、この綱車に巻き掛けられた複数本のロープ４と、この複数本のロープに近接し綱車の軸方向に延在するロープガード１４と、このロープガードを片持ち支持する固定部材１７とを有する巻上機において、前記ロープガード１４と固定部材１７との間に前記綱車の軸方向との平行度を調整する調整機構を設けたのである。【選択図】図３
2011201626.tif 000002
【特許請求の範囲】
【請求項１】
複数のロープ溝を形成し固定部材に軸支された綱車と、この綱車に巻き掛けられた複数本のロープと、この複数本のロープに近接し綱車の軸方向に延在するロープガードと、このロープガードを片持ち支持する固定部材とを有する巻上機において、前記ロープガードと固定部材との間に、前記綱車の軸方向に対する前記ロープガイドの平行度を調整する調整機構を設けたことを特徴とする巻上機。
【請求項２】
複数のロープ溝を形成し固定部材に軸支された綱車と、この綱車に巻き掛けられた複数本のロープと、固定部材に片持ち支持された支持ロッドと、この支持ロッドから前記綱車のロープ巻き掛け部側に向かって延在する連結具と、この連結具の先端部から綱車のロープ巻き掛け部全幅を覆い前記支持ロッドの延在方向と平行となるように延在されたロープガードとを備えた巻上機において、前記支持ロッドと連結具との間に、前記綱車の軸方向に対する前記ロープガイドの平行度を調整する調整機構を設けたことを特徴とする巻上機。
【請求項３】
昇降路内を昇降する乗かごと、この乗かごを吊る複数のロープと、これらロープを巻き掛けて駆動する巻上機を備えたエレベーターにおいて、前記巻上機として、請求項１又は２記載の巻上機を用いたことを特徴とするエレベーター。
【発明の詳細な説明】
【技術分野】
【０００１】
本発明は、複数のロープ溝を並設した綱車に複数本のロープを巻き掛けた巻上機に係り、特に、綱車からのロープの逸脱を防止するロープガードを備えた巻上機に関する。
【背景技術】
【０００２】
例えば、エレベーター用巻上機においては、地震などの振動により、綱車のロープ溝から乗かごを懸垂するロープが外れないようにするために、ロープガードを設けることが義務付けられている。さらに、近年の建築基準法改正により、ロープ溝の山部とロープガードとの間の寸法基準が厳しくなったため、ロープとロープガード間の寸法を厳密に管理することが求められている。
【０００３】
このようなロープガードとロープとの間の間隔を調整する機構として、例えば特許文献1に開示のように、綱車の軸支部近傍に綱車のロープ巻き掛け部を覆うようにU字状に形成されたロープガードを支持させ、このロープガードの支持部にロープとロープガード間の寸法を調整する調整機構を設けている。
【先行技術文献】
【特許文献】
【０００４】
【特許文献１】特開平１１−２６３５５５号公報
【発明の概要】
【発明が解決しようとする課題】
【０００５】
上記特許文献１に開示の調整機構は、U字状に形成されたロープガードの両脚部２箇所を調整してロープとロープガード間の寸法を規定寸法に設定しているため、調整作業が厄介であり、近年は、ロープガードを片持ち支持する構成が実用化されてきている。
【０００６】
ロープガードを片持ち支持する構成においては、ロープとの間隔調整が一箇所で行なえる利点がある反面、片持ち支持のために、製作誤差や組立誤差により、軸方向に並んだ複数のロープに対してロープガードが軸方向に変位して、例えば、ロープガードとロープとの間隔が綱車の軸方向に一端側が狭く他端側が広くなるような間隔のバラツキが発生する問題があった。
【０００７】
本発明の目的は、片持ち支持のロープガードにおいて、複数本のロープとの間の綱車の軸方向に沿う間隔のバラツキを容易に調整できて信頼性が得られる巻上機を提供することにある。
【課題を解決するための手段】
【０００８】
本発明は上記目的を達成するために、複数のロープ溝を形成し固定部材に軸支された綱車と、この綱車に巻き掛けられた複数本のロープと、この複数本のロープに近接し綱車の軸方向に延在するロープガードと、このロープガードを片持ち支持する固定部材とを有する巻上機において、前記ロープガードと固定部材との間に前記綱車の軸方向との平行度を調整する調整機構を設けたのである。
【発明の効果】
【０００９】
以上説明したように、ロープガードと固定部材との間に調整機構を設けたので、ロープガード平行度を調整することができると共に、一箇所でロープとの間隔を調整することができ、その結果、ロープとロープガード間の寸法を厳密に管理することができる信頼性のある巻上機を得ることができる。
【図面の簡単な説明】
【００１０】
【図１】本発明による巻上機の第1の実施の形態を示す平面図。
【図２】図1に示巻上機を適用したエレベーターを示す概略断面図。
【図３】図１に示す巻上機のロープガードを示す拡大図。
【図４】図３に示すロープガードの調整機構の第１の態様を示す拡大図。
【図５】図３に示すロープガードの調整機構の第２の態様を示す拡大図。
【図６】図３に示すロープガードの調整機構の第２３態様を示す拡大図。
【図７】本発明による巻上機の第２の実施の形態を示す図３相等図。
【図８】図７に示すロープガードの調整機構の第１の態様を示す拡大図。
【図９】図７に示すロープガードの調整機構の第２の態様を示す拡大図。
【発明を実施するための形態】
【００１１】
以下本発明による巻上機の第1の実施の形態をエレベーターに適用した一例を図1及び図2に基づいて説明する。
【００１２】
エレベーター１は、建築構造物内に形成された昇降路２内を昇降する乗かご３と、この乗かご３とロープ４を介して連結された釣合い錘５と、昇降路頂部に設置され前記ロープ４を巻き掛けて駆動する巻上機６と、この巻上機６近傍に設置された反らせ車７とを有する。
【００１３】
前記巻上機６は、駆動用電動機８と、この駆動用電動機８によって回転駆動され前記ロープ４を巻き掛ける綱車９と、この綱車９と同軸に設けられた制動機１０と、前記綱車９に巻き掛けられたロープ４が綱車９から逸脱するのを防止するために設けられたロープ逸脱防止装置１１とを有している。
【００１４】
前記制動機１０は、駆動用電動機８の回転軸に連結されたディスク１２と、このディスク１２を挟圧・開放して綱車９の回転・停止を行う挟持部材１３とを有する。
【００１５】
また、前記ロープ逸脱防止装置１１は、前記綱車９に巻き掛けられた複数のロープ４に近接し綱車９の軸方向全長に亘って延在しロープ４の逸脱を防止する棒状のロープガード１４と、このロープガード１４の一端に直交するように連結され綱車９から離れる方向に延在された連結具１５と、この連結具１５の他端に連結され前記ロープガード１４と平行な支持ロッド１６とを有し、前記支持ロッド１６の他端は固定部材１７に固定されており、前記ロープガード１４を結果的に片持ち支持している。
【００１６】
上記構成において、ロープガード１４、連結具１５、支持ロッド１６の連結誤差や支持ロッド１６の固定部材１７への取付け誤差があった場合、ロープガード１４は綱車６の軸方向に対して変位することになり、ロープガード１４とロープ４との間隔が綱車９の軸方向に一端側が狭く他端側が広くなるような間隔のバラツキが発生する。
【００１７】
そこで、本実施の形態においては、ロープガード１４と固定部材１７との間に、前記綱車９の軸方向との平行度を調整する調整機構を設けたのである。具体的に、図３及び図４に基づいて説明する。
【００１８】
図３及び図４において、ロープガード１４と連結具１５とは溶接によって一体的に連結されており、連結具１５と支持ロッド１６とはロープガード１４とロープ４との間隔を調整できるようにボルト連結されている。即ち、連結具１５にはその延在方向に沿って長穴（図示せず）が設けられており、連結ボルト１８をその長穴の両側に介在させた座金１９ａ，１９ｂと共に貫通させて支持ロッド１６に締結している。そして、ロープ４とロープガード１４との間隔を調整する際は、連結ボルト１８を緩め、その状態で連結具１５を長穴の長さの範囲内で進退させればよく、最適な間隔になった際に、再度連結ボルト１８を締結すれば調整は終了する。
【００１９】
一方、支持ロッド１６が固定部材１７に対して曲がった状態で取付けられてロープガード１４の先端部側がロープ４に接近しすぎた場合には、座金１９ａと連結具１５との間に、ロープ４に接近しすぎたロープガード１４の先端側が離れるように、段付きライナ２０を介在させた状態で締結ボルト１８を締結するのである。このように段付きライナ２０を介して連結することで、連結具１５は支持ロッド１６に対して傾斜し、それによりロープガード１４は傾斜して接近しすぎたロープガード１４の先端側がロープ４から離れるのである。
【００２０】
尚、ロープガード１４の先端部がロープから離れるような場合には、図５に示すように、段付きライナ２０の挿入位置を変えることでロープガード１４の傾き方向を変えることができる。
【００２１】
ところで、ロープガード１４の傾きは、支持ロッド１６の固定部材１７への取付け誤差を一例に説明したが、ロープガード１４と連結具１５との溶接歪などで傾斜することもあり、そのような場合にも段付きライナ２０の挿入位置を変えることで容易に対応できる。
【００２２】
また、ロープガード１４が綱車９の軸方向に平行に取付けられ、各ロープ４とロープガード１４との間隔が均一に設置されている場合には、段付きライナ２０を介在させる必要がないので、そのような場合には、図６に示すように、段付きライナ２０を座金１９ａと連結具１５との間に介在せず、段部を除いたライナの部分を座金１９ａと支持ロッド１６との間に挟んで、予備として用意しておいても良い。
【００２３】
次に、本発明による巻上機の第２の実施の形態を図７に基づいて説明する。尚、基本的には第１の実施の形態と同じであるので、図１〜図６と同符号は同一構成部材を示し、再度の説明は省略する。
【００２４】
本実施の形態において、第１に実施の形態と異なる構成は、連結具１５に対する支持ロッド１６の連結構成である。具体的には、支持ロッド１６の連結具１５への連結部にフランジ２１を形成し、連結ボルト１８ａ，１８ｂを連結具１５の長穴（図示せず）を貫通させてフランジ２１に捻じ込んで連結するようにしたものである。勿論、夫々の連結ボルト１８a，１８ｂには座金１９ｃ，１９ｄが貫通されている。
【００２５】
そして、上記構成において、ロープガード１４が綱車９の軸方向に対して平行度が保持されずに傾いたときには、図８及び図９に示すように、小ライナ２２をフランジ２１の外周の一部と連結具１５との間に介在させることで、第１の実施の形態と同じように、ロープガード１４の綱車９の軸方向に対する平行度を調整できて、各ロープ４とロープガード１４との間隔を均一にすることができる。
【００２６】
ところで以上の説明は、エレベーター用の巻上機について説明したが、この巻上機は、エレベーター用に限定されるものではなく、周知の巻上機に適用することができる。
【００２７】
さらに、各実施の形態においては、連結具１５と支持ロッド１６との間に、綱車９の軸方向に対するロープガード１４の平行度を調整する調整機構を設けたが、ロープガード１４と連結具１５との間に設けても良く、また、ロープガード１４が直接固定部材１７に支持されるものにあっては、ロープガード１４と固定部材１７との間に調整機構を設けても良い。
【符号の説明】
【００２８】
１…エレベーター、３…乗かご、４…ロープ、６…巻上機、９…綱車、１１…ロープ逸脱防止装置、１４…ロープガード、１５…連結具、１６…支持ロッド、１７…固定部材、１８，１８ａ，１８ｂ…連結ボルト、１９ａ，１９ｂ，１９ｃ，１９ｄ…座金、２０…段付きライナ、２１…フランジ、２２…小ライナ。
【図１】
2011201626.tif 000003
【図２】
2011201626.tif 000004
【図３】
2011201626.tif 000005
【図４】
2011201626.tif 000006
【図５】
2011201626.tif 000007
【図６】
2011201626.tif 000008
【図７】
2011201626.tif 000009
【図８】
2011201626.tif 000010
【図９】
2011201626.tif 000011